【手続補正書】
【提出日】平成22年6月22日(2010.6.22)
【手続補正１】
【補正対象書類名】特許請求の範囲
【補正対象項目名】全文
【補正方法】変更
【補正の内容】
【特許請求の範囲】
【請求項１】
画像データの色空間を変換する処理を行う画像処理装置において、
第１広色域画像データが入力され、前記第１広色域画像データを第２広色域画像データに変換する第１色変換部と、
前記第２広色域画像データが入力され、前記第２広色域画像データを標準広色域空間の画像データに変換する第２色変換部と、
前記第２色変換部によって変換された画像データを、前記標準広色域空間の画像データを表示可能な表示部に送信する手段と、を備えることを特徴とする画像処理装置。
【請求項２】
前記標準広色域空間は、ＡｄｏｂｅＲＧＢによって表されることを特徴とする請求項１に記載の画像処理装置。
【請求項３】
前記第２色変換部は、
前記第２広色域画像データに第１ガンマ変換を行い、
前記標準広色域空間の画像データに第２ガンマ変換を行うことを特徴とする請求項１または２に記載の画像処理装置。
【請求項４】
前記標準広色域空間におけるｘｙ色度は、Ｒｅｄが(０．６４，０．３３)であり、Ｇｒｅｅｎが(０．２１，０．７１)であり、Ｂｌｕｅが(０．１５，０．０６)であることを特徴とする請求項１乃至３のいずれか一項に記載の画像処理装置。
【請求項５】
前記第１色変換部は、第１の輝度色差信号、前記第１の輝度色差信号とは異なる第２の輝度色差信号、及び広色域ＲＧＢ信号のうちのいずれかが入力された場合、前記第２の輝度色差信号又は前記広色域ＲＧＢ信号を、前記第２広色域画像データとして出力することを特徴とする請求項１乃至４のいずれか一項に記載の画像処理装置。
【請求項６】
請求項１乃至５のいずれか一項に記載の画像処理装置から送信された前記標準広色域空間の画像データを表示する表示部を備えることを特徴とする画像表示装置。
【請求項７】
前記表示部は、４色を用いて表示を行い、Ｒｅｄ、Ｙｅｌｌｏｗ−Ｇｒｅｅｎ、Ｂｌｕｅ、Ｅｍｅｒａｌｄ−Ｇｒｅｅｎのカラーフィルタ、及び白色ＬＥＤバックライトを含んで構成される液晶ディスプレイであることを特徴とする請求項６に記載の画像表示装置。
【請求項８】
前記表示部は、３色を用いて表示を行うことを特徴とする請求項６に記載の画像表示装置。
【請求項９】
画像データの色空間を変換する処理を行う画像処理方法において、
第１広色域画像データを取得し、前記第１広色域画像データを第２広色域画像データへ変換する第１色変換工程と、
前記第２広色域画像データを取得し、前記第２広色域画像データを標準広色域空間の画像データに変換する第２色変換工程と、
前記第２色変換工程で変換された画像データを、前記標準広色域空間の画像データを表示可能な表示部に送信する工程と、を備えることを特徴とする画像処理方法。
【請求項１０】
画像データの色空間を変換する処理を行うための画像処理プログラムにおいて、
コンピュータを、
第１広色域画像データを取得し、前記第１広色域画像データを第２広色域画像データへ変換する第１色変換手段、
前記第２広色域画像データを取得し、前記第２広色域画像データを標準広色域空間の画像データに変換する第２色変換手段、
前記第２色変換手段によって変換された前記画像データを、前記標準広色域空間の画像データを表示可能な表示部に送信する手段、として機能させることを特徴とする画像処理プログラム。
【請求項１１】
請求項１０に記載の画像処理プログラムを記録した、コンピュータ読取り可能な記録媒体。
【手続補正２】
【補正対象書類名】明細書
【補正対象項目名】０００６
【補正方法】変更
【補正の内容】
【０００６】
本発明の１つの観点では、画像データの色空間を変換する処理を行う画像処理装置は、第１広色域画像データが入力され、前記第１広色域画像データを第２広色域画像データに変換する第１色変換部と、前記第２広色域画像データが入力され、前記第２広色域画像データを標準広色域空間の画像データに変換する第２色変換部と、前記第２色変換部によって変換された画像データを、前記標準広色域空間の画像データを表示可能な表示部に送信する手段と、を備える。
【手続補正３】
【補正対象書類名】明細書
【補正対象項目名】０００７
【補正方法】変更
【補正の内容】
【０００７】
上記の画像処理装置は、画像データの色空間を変換する処理を行うために好適に利用される。第１色変換部は、第１広色域画像データが入力され、第１広色域画像データを第２広色域画像データに変換し、第２色変換部は、第２広色域画像データが入力され、第２広色域画像データを標準広色域空間の画像データに変換する。そして、変換後の標準広色域空間の画像データは表示部に送信されて表示される。これにより、表示部における光学特性に依らず汎用的に色空間を変換する処理を行うことが可能となる。よって、表示部を変更した場合でも、色変換を行う回路をハードウェアとしてほとんど変更する必要がないため、迅速に画像表示装置を設計することができ、設計者の利便性を高めることができる。
【手続補正４】
【補正対象書類名】明細書
【補正対象項目名】０００８
【補正方法】変更
【補正の内容】
【０００８】
好適には、前記標準広色域空間は、ＡｄｏｂｅＲＧＢによって表すことができる。ＡｄｏｂｅＲＧＢは、広色域として標準的に広く用いられており、例えばデジタルスチルカメラからの入力画像を扱う場合に、妥当な設定である。
また、好適には、前記第２色変換部は、前記第２広色域画像データに対して第１ガンマ変換を行い、前記標準広色域空間の画像データに対して第２ガンマ変換を行う。
【手続補正５】
【補正対象書類名】明細書
【補正対象項目名】００１０
【補正方法】変更
【補正の内容】
【００１０】
上記の画像処理装置の一態様では、前記第１色変換部は、第１の輝度色差信号、前記第１の輝度色差信号とは異なる第２の輝度色差信号、及び広色域ＲＧＢ信号のうちのいずれかが入力された場合、前記第２の輝度色差信号又は前記広色域ＲＧＢ信号を、前記第２広色域画像データとして出力する。
【手続補正６】
【補正対象書類名】明細書
【補正対象項目名】００１１
【補正方法】変更
【補正の内容】
【００１１】
これにより、各種の広色域画像データに応じた処理を適切に行うことができるので、これらを正しく再現することができる。つまり、様々な広色域画像データの入力に対応して、画像の色空間情報を精度良く再現することができる。
【手続補正７】
【補正対象書類名】明細書
【補正対象項目名】００１２
【補正方法】変更
【補正の内容】
【００１２】
本発明の他の観点では、画像表示装置は、請求項１乃至５のいずれか一項に記載の画像処理装置から送信された前記標準広色域空間の画像データを表示する表示部を備える。画像処理装置は、表示部における光学特性に依らず汎用的に色空間を変換する処理を行うことができるので、色変換を行う回路をハードウェアとしてほとんど変更する必要がないため、画像表示装置を迅速に設計することが可能となる。
【手続補正８】
【補正対象書類名】明細書
【補正対象項目名】００１５
【補正方法】変更
【補正の内容】
【００１５】
本発明の他の観点では、画像データの色空間を変換する処理を行う画像処理方法は、第１広色域画像データを取得し、前記第１広色域画像データを第２広色域画像データへ変換する第１色変換工程と、前記第２広色域画像データを取得し、前記第２広色域画像データを標準広色域空間の画像データに変換する第２色変換工程と、前記第２色変換工程で変換された画像データを、前記標準広色域空間の画像データを表示可能な表示部に送信する工程と、を備える。
【手続補正９】
【補正対象書類名】明細書
【補正対象項目名】００１６
【補正方法】変更
【補正の内容】
【００１６】
本発明の更に他の観点では、画像データの色空間を変換する処理を行うための画像処理プログラムは、コンピュータを、第１広色域画像データを取得し、前記第１広色域画像データを第２広色域画像データへ変換する第１色変換手段、前記第２広色域画像データを取得し、前記第２広色域画像データを標準広色域空間の画像データに変換する第２色変換手段、前記第２色変換手段によって変換された前記画像データを、前記標準広色域空間の画像データを表示可能な表示部に送信する手段、として機能させる。